Podtech/llm-jp-corpus-v4-ja_patent huggingface dataset:
(57)【要約】      （修正有）【課題】自動車運転者が、上着を長時間着用しても、運転に支障をきたさない様にした自動車運転者用上着を提供する。【解決手段】前肩を、ラグランのワンサイドラグランとして背肩を普通肩ノーホーク仕立にすることで前身頃、肩袖、の連結で、背身頃になり三位一体の肩周りを形成させることが出来、運転動作に、連動する上着。【選択図】図４
0003101096.tif 000002
【実用新案登録請求の範囲】
【請求項１】
上着の前身頃をラグラン、背身頃を普通肩のワンサイドラグラン三枚袖とし、背脇をノーホーク（箱襞）にして、前身の袖山を無くした事を特徴とする自動車運転者用の上着。
【考案の詳細な説明】
【考案の詳細な説明】
【技術分野】
【０００１】本考案は、主にタクシードライバー、バス運転者等、自動車運転者が長時間運転している人が着用するのに適合する。
【背景技術】
【０００２】従来の上着は、普通の背広をノーホーク仕立にしてあるだけの、上着であり、運転姿勢に対応する機能を考えて裁断されていない。
（１）シートベルト着用に適合させること。
（２）運転姿勢に対応する為に袖が、前方に楽に移動できること。
（１）、（２）の問題点を解消できる、自動車運転者用の上着の出現が要望されている。
【考案が解決しようとする課題】
【０００３】本考案は、以上のような従来の要望点に鑑み、第一の目的は、シートベルト着用時違和感を無くすこと。第二の目的は、運転時袖が自然に、前方に移動させることである。
【課題を解決するための手段】
【０００４】本考案の、自動車運転者用の上着は、前肩を、ラグランのワンサイドラグランとして、袖山を無くすことで、シートベルト着用を、スムーズにさせることにした。運転姿勢を柔軟に出来るように、背肩を普通肩にすることでノーホークに、対応出来る。袖を三枚袖にすることで前傾姿勢にも自然に着いていける特徴ある裁断で対処した。
【考案実施の形態】
【０００５】図１は、自動車運転者用の上着の例を、概略的に示す。図１を参照に説明する。
「右」、「左」の用語は、説明の、便宜上着用状態における着用者を基準にする。したがって、「右袖は、着用者の右腕の方」を意味する。
１、は前身頃の左側２、は右前身頃である。３、は左袖４、は右袖５、は上着丈６、は上衿
なお上着丈は、尻が隠れる程度、平均７５センチから８０センチ位の長さ。
【実施例】
【０００６】図３の様に、前身頃Ｎａ〜Ｕ図６袖Ｎａ〜Ｕ間の連結によって、前身ワンサイドラグランの、効果で、前身頃、肩袖、背身頃と三位一体の肩周りが形成され背肩を、普通肩にしたことでノーホーク仕立にすることが可能になり、袖を、三枚袖にしたことで、袖の幅も自由に設定出来前傾姿勢に、対処できた。
【考案の効果】
【０００７】以上の説明から明らかのように、本考案にあっては、次に列挙するような効果がある。
（１）シートベルト着用がスムーズである。
（２）運転時に袖が、前方に楽に移動出来る。
【図面の簡単な説明】
【図１】本考案の平面正面図。
【図２】平面背面図
【図３】身頃と袖の展開断面図
【図４】身頃  背  前  製図
【図５】背身頃  ノーホーク展開図
【図６】袖  製図
【符号の説明】
１．．．左前身頃  ２．．．右前身頃  ３．．．左袖  ４．．．右袖  ５．．．上着丈  ６．．．上衿
（製図記号）
Ｏ．．．背中心線  Ｂ．．．バスト線  Ｗ．．．ウエスト線  Ｈ．．．ヒップ線  Ｌ．．．着丈線  Ｍ．．．衿ミツ
Ｓ．．．肩先  Ｎ．．．ネックポイント  Ｆ．．．フロント
Ｄ．．．．幅  Ｅ．．．背輻  Ｔ．．．肩先  Ｕ．．．袖付  Ｖ．．．袖山  Ｎａ．．．Ｕ  ラグラン切り替え線
Ｓａ．．．ノーホークたたみ線
【図１】
0003101096.tif 000003
【図２】
0003101096.tif 000004
【図３】
0003101096.tif 000005
【図４】
0003101096.tif 000006
【図５】
0003101096.tif 000007
【図６】
0003101096.tif 000008
【手続補正書】
【提出日】平成15年10月23日(2003.10.23)
【手続補正１】
【補正対象書類名】実用新案登録請求の範囲
【補正対象項目名】全文
【補正方法】変更
【補正の内容】
【実用新案登録請求の範囲】
【請求項１】
上着の前身頃をラグラン、背身頃を昔通肩のワンサイドラグラン、三枚袖とし、背脇をノーホーク仕立てにして、前身の袖山を無くした事を特徴とする自動車運転者用の上着
(57)【要約】
【課題】  従来、油圧式草刈アタッチメントは油圧容量の大きい油圧式ショベルに使用されていたが、トラクターショベル、ブルドーザー、スキッドステアローダー等の車両系建設機械には油圧の容量が不足で使用されていなかった。
【解決手段】本考案は油圧式草刈アタッチメントに電動ファン付きオイルクーラー及び作動油タンクへの戻り配管を取り付け、油圧容量の少ない車両系建設機械に取り付ける。
【選択図】    図１
0003101099.tif 000002
【実用新案登録請求の範囲】
【請求項１】
油圧式草刈アタッチメントに電動ファン付きオイルクーラー及び作動油タンクへ連絡する油圧戻り配管を取り付け、トラクターショベル、ブルドーザー、スキッドステアローダー等の車両系建設機械に取り付けて構成した油圧式草刈アタッチメント
【考案の詳細な説明】
【技術分野】
【０００１】本考案は油圧式草刈アタッチメントをトラクターショベル、ブルドーザー、スキッドステアローダー等の車両系建設機械に取り付ける構成に関するものである。
【背景技術】
【０００２】従来、油圧式草刈アタッチメントは油圧式建設機械に取り付けて、機械の利用範囲を広げるという経済的な観点から提供されてきた。油圧式草刈アタッチメントは油圧式建設機械の油圧配管により、油圧モーターを駆動し、回転ベルトにより動力の伝達をして草刈を行うものである。この油圧式草刈アタッチメントは油圧容量の大きい油圧式ショベルに使用されているが、トラクターショベル、ブルドーザー、スキッドステアローダー等の車両系建設機械に関しては油圧容量が不足で使用されていなかった。
【考案が解決しようとする課題】
【０００３】しかしながら、油圧式ショベルは狭い範囲の草刈には適しているが、平地の場合、走行が遅いので能率が悪い。この点において、油圧容量は少ないが走行性能に優れたトラクターショベル、ブルドーザー、スキッドステアローダー等の車両系建設機械に取り付けることが可能な油圧式草刈機アタッチメントが望まれていた。
【課題を解決するための手段】
【０００４】本考案は油圧式草刈アタッチメントに電動ファン付きオイルクーラー及び作動油タンクへの太い戻り配管を取り付け、油圧容量の少ない車両系建設機械に取り付ける手段により前記の課題を解決するものである。。
【考案の効果】
【０００５】本考案は以上のように電動ファン付きオイルクーラー及び作動油タンクへの太い戻り配管を配管するという方式によって油圧式草刈アタッチメントをトラクターショベル、ブルドザー、スキッドステアローダーなどの車両系建設機械に使用することが可能に出来た。建設現場、農作業現場などの各種の作業現場に広く使用されている車両系建設機械に油圧式草刈アタッチメントを使用できることとなり、大きな経済効果が得られる。
【考案を実施するための最良の形態】
【０００６】本考案を図によって説明する。図１は本発明の構成を示す斜視図であり、油圧式草刈アタッチメント１にオイルクーラー２、サブタンク３、戻り配管４を車両系建設機械５に取り付けて構成する。戻り配管４は車両系建設機械５の作動油タンク注油口５−１に取り付け、作動油タンク５−２に直接配管する。車両系建設機械２が１４９８ＣＣ（ターボ付き３６ＰＳ）の排気量の場合、戻り配管４は外径１インチ以上が望ましい。以下に既存の部品の構成によるテストとその結果に対する対策によって本発明が生まれた過程を説明し、実施の形態についての掘り下げた説明としたい。市場に提供されている商品名ハンマーナイフモアと称する油圧式草刈アタッチメント１を車両用建設機械５の一実施例として、排気量１４９８ＣＣのスキッドステアロダーにそのまま取り付けてテストしたところ、次のような結果となった。即ち、油圧回路中の既設の戻り配管は油圧配管でコントロールバルブを経由してタンクに戻る外径１／２ｉｎサイズの配管であるが、この配管の背圧が邪魔となり、流れる油量が多過ぎる為、戻るのが間に合わない現象が生じた。油圧式草刈アタッチメントの油圧回路の油圧回路の油量を増す為に新設した作動油用の耐圧約０．２ＫＧ／Ｃｍ２のサブタンク３が膨張、変形して危険な状態となった。油圧回路中の戻り配管は既設の配管は外径１／２ｉｎである。コントロールバルブを介してタンクに戻す為に背圧がかかる構造となっている。これを改善する対策として、既設の配管より太いサイズの外径１ｉｎの戻り配管４を、作動油タンク注油口５−１を経由して作動油タンク５−２に配管した。しかし、車両本体の油圧回路によっては、既設の戻り配管内の油を他にも使用している場合がある為、既設油圧配管行き配管１−２及び既設戻り配管行き配管１−３の接続も行っておき、必要であれば、他の油圧機器にも供給出来るようにした。この既設の配管接続は本体車両の油圧回路によっては必要がない場合もある。しかしながら、以上の構成で運転したところ、５分後に油圧回路中の油温が約１１０℃に上昇し、更に上昇する気配があり、危険な状態と判断した。この問題について次のような対策を行った。草刈アタッチメントの回路中に専用の電動ファン付きオイルクーラー２を新設し、取り付けた。この電動ファン付きオイルクーラー２は回路の都合により、他にも供給が可能である。もともと、車両用建設機械にはオイルクーラーが搭載されているので、結果的には２台のオイルクーラーで油圧回路を冷却することになる。この対策により、温度上昇は制御できた。以上の対策により、戻り配管の流量不足による膨張を抑え、油圧配管の温度上昇を制御することが出来た。以上のテスト結果により、排気量１４９８ＣＣのスキッドステアローダーに放熱面積８．９５ｍ２のオイルクーラーを搭載し、配管サイズ外径１ｉｎの戻り配管を給油タンクに直接配管して構成した実験車を製作し、実用テストを行った。平成１５年６月より、８月中旬まで約２ケ月間述べ草刈稼動時間１２１時間河川の雑草の草刈を行ったところ、全く異常なく稼動できた。
【図面の簡単な説明】
【０００７】
【図１】本考案の全体構成の一実施例を示す斜視図である。
【図２】本考案の部品構成の一実施例を示す斜視図である。
【符合の説明】
【０００８】１：油圧式草刈アタッチメント
１−１：油圧モーター
１−２：既設油圧配管行き配管
１−３：既設戻り配管行き配管
２：電動ファン付きオイルクーラー
２−１：オイルクーラー配管
２−２：オイルクーラー配管
３：サブタンク
４：戻り配管
５：車両系建設機械
５−１：作動油タンク注油口
５−２：作動油タンク
【図１】
0003101099.tif 000003
【図２】
0003101099.tif 000004
(57)【要約】      （修正有）【課題】電源遮断・切断時受信データが先着順に数回線、音声録音入力記憶され重要なる回線の優位制が配慮されて居らず不便制を痛感させられる。送信に於いて緊急時優位回線への文字入力、音声データが即刻対応の確実性が保証されて居らずまた優位回線受信されたかどうかの認識、確認が不可能、全く不便極まり無い、尚一般回線と重要なる回線の判別対応が難聴者に識別不可能である実態課題を有する。【解決手段】重要なる回線の優位制を考慮し登録方式により音声、メールデータの一般回線域と優位回線域に記憶装置分割、電源が切断されても登録方式による優位回線域の記憶装置部分自動電源切り替え作動に拠りストックされた電源なども利用し即刻優位回線データの受信である事をある音や光で識別告知、難聴者にも重要回線着信認識可能にし併せて即刻データ表示。受信されない場合には優位回線を画面に表示、データは記憶装置優位域に保存され何時でも表示確認可能、定期的に上記受信通知、送信に於いても優位回線の音声データ、メールデータは一定量即刻入力送信可能にし上記課題の解決を計ろうとするものである。【選択図】図１
0003101095.tif 000002
【実用新案登録請求の範囲】
【請求項１】
通信機内部構造に有する記憶装置立体を優位域と一般域に分割。重要なる回線の優位域登録方式により音声、メールデータ等の優位制を図り即ちに重要回線との通信を確実即刻対応可能にした通信機。
【考案の詳細な説明】
【考案の詳細な説明】
〔考案の属する技術分野〕
【０００１】重要な回線を配慮した記憶装置付き通信機。〔従来の技術〕
【０００２】  従来の技術は電源遮断・切断時受信データが先着順に数回線、音声録音入力記憶され重要なる回線の優位制が配慮されて居らず不便制を痛感させられる。  送信に於いても緊急事態優位回線へ文字入力、音声データが配慮されず全く不便極まり無く重要なる回線へ即刻対応不可能であると言っても過言でない。  一般回線と重要なる回線の判別対応が難聴者に認識不可能である。〔考案が解決しようとする課題〕
【０００３】  本考案は従来の技術では電源遮断・切断時受信メールデータランダムに音声データが先着順に数回線、音声録音入力記憶され重要なる回線の優位制が配慮されて居らず不便制を痛感させられ、送信に於いても緊急時重要なる回線の音声、文字入力中、電源が切断された場合、消滅し電源接続、再度入力全く不便極まり無い重要なる回線即刻対応の確実性がなく一般回線と重要なる回線の受信判別対応が難聴者に認識不可能である問題点を検証し解決しようとするものである。〔問題を解決するための手段〕
【０００４】  問題を解決するための手段として重要なる回線の優位制を考慮し登録方式により音声、メールデータの一般回線域と優位回線域に記憶装置分割、優位回線域の電源自動切り替え作動により記憶装置優位域ストックされた電源なども利用し優位回線データの受信である事をある音や光を発する事で判別、難聴者にも重要回線着信認識可能にし併せて即刻データ表示、受信されない場合には優位回線を画面に表示、データは記憶装置優位域に保存され何時でも表示確認可能、定期的に上記受信通知をも可能にし送信に於いても優位回線の音声、メールデータは一定量即刻入力送信可能にし問題解決計ろうとするものである。〔考案の実施の形態〕
【０００５】  重要な回線を配慮し一般回線域と優位回線域に記憶装置を分割した記憶装置付き通信機。〔実施例〕
【０００６】
0003101095.tif 000003
〔考案の効果〕  何時の日からかＩＴＩＴの囃、産業界は凌ぎを削る開発競争、本当に人々の幸せをベーシックにした取組だろうか、どこか間違って居る思いに駆られるのは自分だけなのか、先日の新聞で何処でもネットで空と接続、電源をマイクロ波で端末と・・・・・・・  携帯、各種通信機器全く魔法使いの様な構造物であるように思われるが果たして人々全体が喜び合って利用できるであろうか、目の不自由な方、難聴者など、この恩恵を享受出来るであろうか？  もう日本の社会は４人１人の老人社会に突入、その対策を急がねばならない時期ではないか、この自分も何時その失明、難聴の事態に遭遇するかも知れない、魔法使いの様な構造物通信機器が通信の基本である、いざと言う時の重要なる人への即刻連絡さえも前述の様に不具合で心暖かい配慮に乏しい気がしてならない、情ないではないか！  本考案は幼稚な考案であるかもしれないが敢えて提案したい、誰もが共有できる皆に嬉しい構造物通信機、お守りに成なれるような通信機として考案にした。
【図面の簡単な説明】
【図１】重要な回線を配慮した記憶装置分割図（重要な回線を配慮した記憶装置作動イメージ図）
【図１】
0003101095.tif 000004
【手続補正書】
【提出日】平成15年10月24日(2003.10.24)
【手続補正１】
【補正対象書類名】実用新案登録請求の範囲
【補正対象項目名】全文
【補正方法】変更
【補正の内容】
【実用新案登録請求の範囲】
【請求項１】
通信機内部構造に有する記憶装置構造を優位域と一般域に分割し重要なる回線の優位域登録方式により音声、メールデータ等の優位制を図り重要回線受信・表示・発信を確実即刻対応可能にした通信機に於て
「
（１）受信に於いて即刻優先的に或る光や音にて受信通知。
（２）キャッチされない場合登録回線表示、メールデータ表示
記憶装置優位域に音声データ、メールデータを保存し何時も受信表示可能なる。
（３）登録回線発信に於いては如何なる事態にも即刻発信可能にした。
以上かろなる通信機。」
(57)【要約】
【課題】  本考案は人（飼い主）の為のスツールと犬の為の犬小屋を、一体化することで、室内の省スペースとシンプルで機能的な人と犬との暮らしを実現する。また、部屋のトータルコーディネイトを可能にすり。
【解決手段】  本考案はスツール本体の側壁に開口部を設け、犬小屋としての機能を付与し、さらに座面を開閉または、脱着可能とすることで犬小屋の手入れの容易性と清潔な状態の維持を実現する。またスツールに犬小屋の機能を持たせることで、室内に犬小屋を設置する必要が無くなり省スペースとなり、部屋全体のコーディネイトも容易となる。
【選択図】  図１
0003101093.tif 000002
【実用新案登録請求の範囲】
【請求項１】
前後の壁、側壁、扉、床板及び座面で構成される、犬小屋の機能を持ったスツールにおいて、座面の左右側面後端部を後桁左右端面に軸支し、その左右両軸を中心として、上下方向へ、座面を回動又は、脱着を可能としたスツール。人の為のスツールと犬の為の犬小屋を一体化したスツール。
【考案の詳細な説明】
【技術分野】
【０００１】本考案は犬小屋の機能を持った、スツールに関するものである。
【背景技術】
【０００２】犬を室内で飼う場合、犬小屋は、屋外用のものや、スチール製、樹脂製のゲージ（檻）を使用するのが常である。限られた室内でのスペースの確保や、部屋全体のコーディネイトが難しかった。
【考案の開示】
【考案が解決しようとする課題】
【０００３】従来の犬小屋では、室内でのスペースの確保が難しく、さらに、飼い主の使用する家具とのコーディネイトが難しい。従って、飼い主の為のスツールと、犬の為の犬小屋を一体化することにより室内での省スペースと、部屋全体のコーディネイトが可能になり前述の問題点を解決しようとするものである。
【課題を解決するための手段】
【０００４】本考案はスツールの側壁に扉、空気孔を設け、座面を開閉あるいは脱着可能にすることにより、スツールに犬小屋としての機能を付与し、また、スツール本体や座面クッション部の材質、色を部屋に合わせて選ぶことを可能にすることにより、問題点を解決している。
【考案の効果】
【０００５】上述のように、本考案のドッグインスツールはスツールとして人が、腰掛けることができることは勿論、室内の犬小屋として犬が使うことができる。また、このスツール（犬小屋）は座面前端部を持ち上げて開口すると、両側壁上端部と座面下面側方よりに設置したソフトダウンステーにより座面は所定角度に支持され、大きく開口した天井部から、スツール（犬小屋）の様子がよく分かり、掃除も楽に行うことが可能となる。さらに天気の良い日は光が奥までよく当たり、また風通しもよく、衛生的な室内用の犬小屋とすることができる。また、床面外側にキャスターを取り付けることで、移動性も向上する。
人と犬が同時に使うことが可能な家具として、省スペースと快適な人と犬との暮らしを可能とする。
【実施例】
【０００６】本考案の実施例を添付図面に従って説明する。
図１は座面を開閉可能としたスツールの第一実施例であり、１は耐久性の木材、プラスティック等適宜素材にて作られるスツール本体、２は座面この座面２は丁番３にて軸支されており、上方に回動可能に構成する。また、左右側面に取り付けられたソフトダウンステー４でも支持されており、座面２は開いた角度を保持して固定される。座面２を閉じた時、座面２前方左右に設けた留金具６に係合して座面２を固定する固定金具７が螺着されている。【０００７】左側壁の開口部には、取外し式の格子扉５が、右側壁には空気孔８が設けられている。前壁には空気孔９、後壁にも同様の空気孔が設けられている。
【図面の簡単な説明】
【０００８】
【図１】本考案のドッグインスツールの一実施例を示す側方図である。
【図２】本考案のドッグインスツールの一実施例を示す側方図である。
【図３】本考案のドッグインスツールの一実施例を示す正面図である。
【図４】本考案のドッグインスツールの一実施例を示す断面図である。
【図５】本考案のドッグインスツールの一実施例を示す上方図である。
【図６】本考案のドッグインスツールの一実施例を示す断面図である。
【符号の説明】
【０００９】１  スツール本体
２  座面
３  丁番
４  ソフトダウンステー
５  格子扉
６  留金具
７  固定金具
８  空気孔
９  空気孔
【図１】
0003101093.tif 000003
【図２】
0003101093.tif 000004
【図３】
0003101093.tif 000005
【図４】
0003101093.tif 000006
【図５】
0003101093.tif 000007
【図６】
0003101093.tif 000008
【手続補正書】
【提出日】平成15年11月7日(2003.11.7)
【手続補正１】
【補正対象書類名】実用新案登録請求の範囲
【補正対象項目名】全文
【補正方法】変更
【補正の内容】
【実用新案登録請求の範囲】
【請求項１】
前後の壁、側壁、扉、床板及び座面で構成される、犬小屋の機能を持ったスツールにおいて、座面の左右側面後端部を後桁左右端面に軸支し、その左右両軸を中心として、上下方向へ、座面を回動又は、脱着を可能としたスツール。
(57)【要約】
【課題】  物干し竿を始めとしたあらゆるパイプ体の清掃が片手で容易に行えると共に、清掃具自体が汚れた場合に洗浄や濯ぎおよび絞りが片手で簡単に行える、清掃具を得る。
【解決手段】  適度な弾力と保水性を有したスポンジ（３）に、片面の長辺側略中央部より指を挿入するための開口部（４）を設けたネットカバー（２）を被せて構成する。
【選択図】  図１
0003101100.tif 000002
【実用新案登録請求の範囲】
【請求項１】
適度な弾力と保水性を有したスポンジ（３）に、片面の長辺側略中央部より指を挿入するための開口部（４）を設けたネットカバー（２）を被せて構成したことを特徴とする、清掃具。
【考案の詳細な説明】
【技術分野】
【０００１】  本考案は、洗濯物等を乾燥させる際に使用する物干し竿を始めとしたあらゆるパイプ体の清掃を容易に行うための清掃具に関するものである。
【背景技術】
【０００２】  従来、洗濯物等を屋外において乾燥させる場合、小物の洗濯物では一般的なハンガーやピンチ付きハンガー等に洗濯物を留めた後、該ハンガー自体を物干し竿に掛けて干している。また、シャツ，バスタオル，シーツ等の比較的大きな洗濯物または布団では物干し竿に直に掛けて干している。該物干し竿は一般的に屋外に設置するため、ほこり等により汚れている場合がある。このため、洗濯物または布団にほこり等が付着しないように事前に物干し竿の清掃を行っている。該清掃手段としては、水を絞った雑巾で物干し竿を拭くのが一般的である。【０００３】  しかしながら、従来のように雑巾で清掃を行う場合、その都度バケツ等に水を汲み両手で雑巾の洗浄や濯ぎおよび絞りを行う必要があり面倒であるという問題点があった。該問題点を解決するため、本願出願人による特開２０００−２２５２９２号公報においては、洗浄や濯ぎおよび絞りが片手で簡単に行える清掃具を提案した。【０００４】  上記清掃具は、スポンジを略Ｕ字型または略Ｃ字型に成形し、または円筒型に成形したものに切断部を設けたものである。そして、該スポンジに適度な水分を含ませた後、内面部を物干し竿に嵌合して左右に動かしながら清掃を行うものである。
【特許文献１】特開２０００−２２５２９２
【考案の開示】
【考案が解決しようとする課題】
【０００５】  しかしながら、上記清掃具は形状が略Ｕ字型や略Ｃ字型または円筒型であり物干し竿を主な清掃対象としているため、物干し竿近辺にあるパイプ体で構成した清掃対象物例えばベランダの手摺や柵，布団干し専用ハンガー，フェンス等の清掃を行うことができず、結局は雑巾を使わざるを得ないという問題点があった。また、上記清掃具にはスポンジを把持し易くするための穴を開け、該穴に指先を入れて使用するように構成されているが、爪を伸ばした人は穴に指先を入れることができず効果が発揮できないといった問題点があった。【０００６】  本考案は、上記のような問題点を解決するために成されたものであり、物干し竿を始めとしたあらゆるパイプ体の清掃が片手で容易に行えると共に、清掃具自体が汚れた場合に洗浄や濯ぎおよび絞りが片手で簡単に行える、清掃具を提供することを目的とする。
【課題を解決するための手段】
【０００７】  上記課題を解決するため、本考案の清掃具においては、適度な弾力と保水性を有したスポンジに、片面の長辺側略中央部より指を挿入するための開口部を設けたネットカバーを被せて構成する。
【考案の効果】
【０００８】  本考案の清掃具を使用して物干し竿を始めとしたあらゆるパイプ体の清掃を行うようにすれば、スポンジに被せたネットカバーの開口部より指を挿入して左右に動かすことにより片手で容易に清掃を行うことができるという効果を奏する。更には爪を伸ばした人でも安心して使用することができるという効果を奏する。また、清掃具自体が汚れた場合においても洗浄や濯ぎおよび絞りが片手で簡単に行えるという効果を奏する。
【考案を実施するための最良の形態】
【０００９】  本考案を実施するための最良の形態を図を用いて説明する。図１は本考案の清掃具の外形図であり、図２は図１におけるＡ−Ａ断面図である。【００１０】  図示するように、適度な弾力と保水性を有した長方体状のスポンジ３の表面に、片面の長辺側略中央部より指を挿入するための開口部４を設けたネットカバー２を被せて構成する。該開口部４のネット端部には、バイアス４を設けたりまたは三つ折にして縫製すれば、ネットがほつれなくなるため好適である。また、ネットカバー２の片側上端部にフックを設けてネットカバー２と一緒に縫製すれば、清掃具１自体の洗浄後における乾燥時または保管時においてフック等に掛けることができるため好適である。【００１１】  なお、上記スポンジ１は食器洗い等に使用するポリスチレンやメラミン樹脂フォームが好適であり、ネットカバー２はポリエステルやナイロンネットが好適であるが、特に限定するものではない。また、スポンジ１の形状は図１では長方体で示しているが、小判形や中央部にくびれを持たせた形状であっても構わない。
【実施例１】
【００１２】  本考案の実施例を図を用いて説明する。図３は本考案の清掃具の使用状態を表した図であり、物干し竿７の清掃時における側面図である。【００１３】  物干し竿７を始めとしたあらゆるパイプ体の清掃を行う場合、適度な水分を含ませた清掃具１の片面の長辺側略中央部にある開口部４の上側のネットカバー２内に親指以外の指８’すなわち人差し指，中指，薬指および小指を挿入し、下側のネットカバー２内に親指８を挿入する。そして、該指８，８’で清掃具１を介して物干し竿７を掴むようにすると清掃具１が裏側の略中央部で折れ曲がり図示した状態のようになる。この状態で清掃具１を左右に動かすことにより物干し竿７の清掃が行えることになる。なお、ネットカバー２内に指８，８’を挿入することにより爪を保護することができるため、爪の伸びた人でも安心して使用することができる。【００１４】  清掃対象物が物干し竿７以外の場合、指８，８’の開き具合により清掃対象物に最適な状態で掴むことができるため、物干し竿７より太いパイプ体例えばベランダの手摺等を清掃したり、物干し竿７より細いパイプ体例えばベランダの柵等を清掃することが自在に可能となる。【００１５】  また、清掃具１自体が汚れた場合、洗剤を入れた水に清掃具１を浸け、片手でもみ洗いすることにより簡単に洗浄することができ、更に濯ぎや絞りも同様に片手で簡単に行うことができる。
【産業上の利用可能性】
【００１６】  上述の説明では主に物干し竿の清掃を行う場合について説明したが、物干し竿等のパイプ対以外に平面的な物または丸みを帯びた物等の清掃も行うことができる。更には食器等の洗浄にも使用することができる。
【図面の簡単な説明】
【００１７】
【図１】本考案の清掃具の外形図である。
【図２】図１におけるＡ−Ａ断面図である。
【図３】本考案の清掃具の使用状態を表した図である。
【符号の説明】
【００１８】    １  清掃具
２  ネットカバー
３  スポンジ
４  開口部
５  バイアス
６  フック
７  物干し竿
８  親指
８’親指以外の指
【図１】
0003101100.tif 000003
【図２】
0003101100.tif 000004
【図３】
0003101100.tif 000005
(57)【要約】      （修正有）【課題】玩具銃の遊底覆いと遊底の結合を安定させる構造を提供する。【解決手段】遊底覆い２１後端周縁に、遊底後端内縁に嵌め込まれる複数の突起物２１５が設けられ、遊底覆いと遊底２２の結合の安定性を高め、これにより、射撃の正確性と安定性を増し、玩具銃の地面への落下或いは衝撃による遊底覆い後端下縁の凸塊２１３の切断或いは変形の発生を防止する。【選択図】図５
0003101021.tif 000002
【実用新案登録請求の範囲】
【請求項１】
遊底覆いと遊底を具え、遊底覆いの後端に孔（２１１）を具えた凸塊が設けられ、遊底の後端に孔（２２１）が設けられた玩具銃において、
該遊底覆いの後端周縁に複数の突起物が設けられ、これら突起物が遊底後端周縁に嵌め込まれて遊底覆いと遊底の結合の安定性が増されたことを特徴とする、玩具銃。
【考案の詳細な説明】
【技術分野】
【０００１】
本考案は玩具銃に係り、特に、遊底覆い後端周縁に、遊底後端内縁に嵌め込まれる複数の突起物が設けられ、遊底覆いと遊底の結合の安定性を高めた玩具銃に関する。
【背景技術】
【０００２】
図１から図４に示されるように、玩具銃の構造は、床尾１、遊底装置２、握把３、前部握把４、及び弾倉５を具えている。そのうち、遊底２は遊底覆い２１と遊底２２を具え、遊底覆い２１の後端下縁の凸塊２１３の孔２１１がピン（図示せず）で遊底２２の孔２２１と結合され、遊底覆い２１の前端下縁の孔２１２もまたピン（図示せず）で遊底２２の孔２２２と結合され、遊底覆い２１の後端周縁２１４が直接遊底２２の後端周縁２２３と接合され（図３、図４参照）、並びに両者を係止する構造はなく、遊底覆い２１と遊底２２結合後にぐらつきを発生しやすく（特にプラスチック製の遊底は弾性を具備するのでぐらつきやすい）、射撃の正確性と安定性に影響が生じ、且つ玩具銃が地面への落下或いは衝撃により、遊底覆い２１後端下縁の凸塊２１３の切断或いは変形を発生しやすい。このため、このような欠点に対して、遊底覆いと遊底の結合を強固として射撃の正確性と安定性を高め、また、遊底覆い後端下縁の凸塊の切断或いは変形を防止することが求められている。
【考案の開示】
【考案が解決しようとする課題】
【０００３】
本考案は遊底覆いと遊底の結合を安定させる構造を提供する。それは、遊底覆い後端周縁に、複数の突起物が設置され、これら突起物が遊底後端内縁に嵌めこまれ、遊底覆いと遊底の結合安定性を増加するものとされる。
【課題を解決するための手段】
【０００４】
請求項１の考案は、遊底覆いと遊底を具え、遊底覆いの後端に孔（２１１）を具えた凸塊が設けられ、遊底の後端に孔（２２１）が設けられた玩具銃において、
該遊底覆いの後端周縁に複数の突起物が設けられ、これら突起物が遊底後端周縁に嵌め込まれて遊底覆いと遊底の結合の安定性が増されたことを特徴とする、玩具銃としている。
【考案の効果】
【０００５】
本考案はその構造により、玩具銃の射撃の正確性と安定性を増し、また有効に玩具銃の地面への落下或いは衝突による遊底覆い後端下縁の凸塊の切断或いは変形の発生を防止する。
【考案を実施するための最良の形態】
【０００６】
図５、６は本考案の実施例表示図である。本考案の玩具銃は、遊底覆い２１の後端周縁２１４に遊底２２の後端内縁２２４に嵌入可能な円弧形の二つの突起物２１５が設置され、これにより遊底覆い２１と遊底２２の結合点が増され、これによりその結合が強固とされ、該円弧形の突起物２１５の外縁形状が遊底２２後端内縁２２４形状に合わせて形成され、これによりその結合の安定性が増されている。
【０００７】
以下に本考案の各構成部品の連結関係について詳細に説明する。遊底覆い２１の後端下縁の凸塊２１３に設けられた孔２１１はピンで遊底２２の孔２２１と結合され、遊底覆い２１の前端下縁の孔２１２もピンで遊底２２の孔２２２と結合され、遊底覆い２１の後端周縁２１４の二つの円弧形の突起物２１５が遊底２２の後端内縁２２４に嵌め込まれ（図６参照）、これにより遊底覆い２１と遊底２２の結合点が周知の二カ所から四カ所に増され、遊底覆い２１と遊底２２の結合安定性が増されている。これにより、射撃の正確性と安定性が増し、また玩具銃が地面に落下するか或いは衝撃を受けることで発生する遊底後端下縁の凸塊２１３の切断或いは変形の問題が防止される。
【０００８】
以上は本考案の好ましい実施例の説明であって本考案の実施範囲を限定するものではなく、本考案に基づきなしうる細部の修飾或いは改変は、いずれも本考案の請求範囲に属するものとする。
【図面の簡単な説明】
【０００９】
【図１】周知の技術の基本構造表示図である。
【図２】周知の技術の遊底装置構造立体図である。
【図３】周知の技術の遊底装置分解図である。
【図４】周知の技術の遊底覆いと遊底の結合の断面図である。
【図５】本考案の実施例の遊底装置分解図である。
【図６】本考案の遊底覆いと遊底の結合の実施例の断面図である。
【符号の説明】
【００１０】
１  床尾
２  遊底装置
２１  遊底覆い
２１１  孔
２１２  孔
２１３  凸塊
２１４  後端周縁
２１５  突起物
２２  遊底
２２１  孔
２２２  孔
２２３  後端周縁
２２４  後端内縁
３  握把
４  前部握把
５  弾倉
【図１】
0003101021.tif 000003
【図２】
0003101021.tif 000004
【図３】
0003101021.tif 000005
【図４】
0003101021.tif 000006
【図５】
0003101021.tif 000007
【図６】
0003101021.tif 000008
(57)【要約】      （修正有）【課題】大きな設備を必要とすることなく、グレーチングを安価に提供する。【解決手段】グレーチングの寸法に作られた横条片１と縦条片２とからなる材料を、Ｔ字型になるようにプロジェクション溶接等にて一体化したＴ字材を使用してなるグレーチング。【効果】設備としては、部材二つを突き合わせ溶接するための設備だけでよいので、設備投資を低く抑えることができ、かつ、後工程としての切断も不要であるから、工程も短縮される。【選択図】図１
0003101042.tif 000002
【実用新案登録請求の範囲】
【請求項１】
グレーチングの寸法に作られた横条片と縦条片とからなる材料を、Ｔ字型になるようにプロジェクション溶接等にて一体化したＴ字材を使用してなるグレーチング。
【考案の詳細な説明】
【技術分野】
【０００１】
本考案は、公園、道路、建物等に付随して設けられた排水溝の溝蓋として使用されるグレーチングに関するものである。
【背景技術】
【０００２】
従来、溝蓋などには、断面形状がＴ字型、Ｉ字型等の形状をなす部材を所要間隔に間隔保持材を用い並列に組み立て、前記部材の両端面に側板として短冊状の副部材を用い、溶接するなどして固定したグレーチングが用いられており、Ｔ字型、Ｉ字型部材等の成形方法やグレーチングの組み立て方法など多くの製造方法が提案されている。
上記グレーチングの部材のうちＴ字型部材は、長尺の二つのバーをＴ字型に組み合わせて連続溶接したもの、あるいは素材よりＴ字型に引き抜き成形したものを、製品寸法に切断して成形されていた。
しかし、Ｔ字型、Ｉ字型部材の素材として長尺のものを用い、それを製品サイズに切断してＴ字型、Ｉ字型部材とするためには、大きな設備が必要であり、その設備費が高くつくものである。
【考案の開示】
【考案が解決しようとする課題】
【０００３】
大きな設備を必要とすることなく、グレーチングを安価に提供することを目的とするものである。
【課題を解決するための手段】
【０００４】
本考案は、グレーチングの寸法に作られた横条片と縦条片を準備し、これをＴ字型になるようにプロジェクション溶接等にて一体化したＴ字材を用いてグレーチングとする。
【考案の効果】
【０００５】
本考案によれば、設備としては、部材二つを突き合わせ溶接するための設備だけでよいので、設備投資を低く抑えることができ、かつ、後工程としての切断も不要であるから、工程も短縮される。
【考案を実施するための最良の形態】
【０００６】
グレーチングの寸法に切断された横条片１と縦条片２を準備し、縦条片２は一側面にプロジェクション溶接用の突起３をつけた形状とし、これを横条片１にＴ字型に組付け、プロジェクション溶接してＴ字型に成形する。
上記横条片１および縦条片２は、一般にはステンレス鋼板により成形され、用途によっては、鋼板、アルミニウム板などにより成形される。これら金属板の厚さは、グレーチングに成形したとき要求される強度に応じて決められるが、通常は１．５〜２ｍｍ程度である。また、横条片１の幅は８ｍｍ程度で、長さは１５０〜２５０ｍｍが通常であり、縦条片２の幅は１５〜２５ｍｍが通常で、長さは上板バー１と同じである。
【実施例】
【０００７】
厚さ１．５ｍｍ、幅８ｍｍ、長さ２００ｍｍのステンレス鋼板からなる横条片１と、厚さ１．５ｍｍ、幅２０ｍｍ、長さ２００ｍｍのステンレス鋼板からなり、その一側面にプロジェクション溶接用の突起３を設けた縦条片２を用い、横条片１に縦条片２をＴ字型に接合し、プロジェクション溶接して一体化し、Ｔ字材を形成する。
このＴ字材は、図３に示すように、所望数を並列し、縦条片２の二箇所にステンレス鋼製の連結片４を挿通して固定し、さらに、ステンレス鋼製の側板５および６を四側面に溶接により接合固定してグレーチングとする。
【産業上の利用可能性】
【０００８】
設備投資を低く抑えることができ、かつ、後工程としての切断も不要であるから、グレーチングとして極めて実用的である。
【図面の簡単な説明】
【０００９】
【図１】横条片と縦条片の溶接前の状態を示す斜視図である。
【図２】本考案のグレーチングのＴ字材を示す斜視図である。
【図３】本考案のグレーチングの一例を示す斜視図である。
【符号の説明】
【００１０】
１  横条片
２  縦条片
３  突起
４  連結片
５  側板
６  側板
【図１】
0003101042.tif 000003
【図２】
0003101042.tif 000004
【図３】
0003101042.tif 000005
(57)【要約】
【目的】  見栄えの良い目玉焼きが簡単に作れる事を提供する。
【構成】  目玉焼き器（１）の底面に、くぼみ（４）を成型し取っ手（２）には、トースターのあつさを早く冷やすために穴（３）を２カ所あけた。
【選択図】  図１
0003101088.tif 000002
【実用新案登録請求の範囲】
【請求項１】
目玉焼き器（１）の真中にくぼみ（４）をつける。
【考案の詳細な説明】
【考案の詳細な説明】
【技術分野】
【００１】  この考案は、トースターを使用し卵の黄身を目玉焼き器（１）の真中に美しく焼くためのものである。
【背景技術】
【００２】  従来、いろいろの目玉焼き器はあったが、なかなか卵の白身の真中に黄身がおさまらず、見栄えがしなかった。
【考案が解決しようとする課題】
【００３】  この考案は、少々傾いたトースターでも気にせずに、見栄えの良い目玉焼きがつくれるためのものである。
【問題を解決するための手段】
【００４】  いまこれを図面について説明すれば
（イ）  目玉焼き器（１）の底面中央に、くぼみ（４）をつけたものである。
（ロ）  トースターであつくなった取っ手（２）が早く冷える様に穴（３）を２ケ所開けたものである。
【考案を実施するための最良の形態】
【００５】  以上の構造であるから、トースターで目玉焼きをする時は、割った卵を目玉焼き器（１）に入れれば自然と中央のくぼみ（４）に入る。
【考案の効果】
【００６】  したがって、卵の黄身はトースターの少々の傾きや目玉焼き器（１）の傾きを気にしなくと卵は片寄らずに見栄え良く焼きあがる。
【図面の簡単な説明】
【図１】  本考案の斜視図である。
【図２】  本考案を底方よりの斜視図である。
【符号の説明】
１  目玉焼き器    ２  取っ手    ３  穴    ４  くぼみ
【図１】
0003101088.tif 000003
【図２】
0003101088.tif 000004
【手続補正書】
【提出日】平成15年11月22日(2003.11.22)
【手続補正１】
【補正対象書類名】実用新案登録請求の範囲
【補正対象項目名】全文
【補正方法】変更
【補正の内容】
【実用新案登録請求の範囲】
【請求項１】
底面中央に円形のくぼみを設けたことを特徴とする目玉焼き器。
【手続補正３】
【補正対象書類名】明細書
【補正対象項目名】全文
【補正方法】変更
【補正の内容】
【考案の詳細な説明】
【技術分野】
【０００１】  この考案は、トースターを使用して目玉焼きを作るための目玉焼き器に関する。
【背景技術】
【０００２】  従来、いろいろの目玉焼き器はあったが、なかなか卵の白身の真中に黄身がおさまらず、出来上がった目玉焼きの見栄えが悪かった。また、オーブントースターで目玉焼きを焼くための適当な目玉焼き器がなかった。
【考案の開示】
【考案が解決しようとする課題】
【０００３】  そこで、本考案は、オーブントースターを使用して卵の黄身が白身の真中に収まるように焼きあがり、見栄えの良い目玉焼きを作ることが出来る目玉焼き器を提供することを目的とする。
【課題を解決するための手段】
【０００４】  本考案の目玉焼き器は、上記課題を解決するために、目玉焼き器（１）の底面中央に、円形のくぼみ（４）をつけたものである。
また、トースターで加熱して熱くなった取っ手（２）が早く冷える様に穴（３）を２ケ所開けたものである。
【考案の効果】
【０００５】  本考案の目玉焼き器を用いて、トースターにより目玉焼きを作ると、卵の黄身はトースターの少々の傾きや目玉焼き器の傾きを気にしなくとも、黄身は片寄らずに見栄え良く焼きあがる。
【考案を実施するための最良の形態】
【０００６】  本考案の実施の形態を代表的な実施例に基づいて図を用いて説明する。
本考案の目玉焼き器は、図１および図２に示すように、皿状の目玉焼き器（１）の底面中央に、円形のくぼみ（４）をつけたものである。また、目玉焼き器（１）の縁に取っ手（２）を取り付けてある。取っ手（２）には、トースターで加熱して熱くなったときに早く冷えるように、穴（３）を２ケ所開けてある。
本考案の目玉焼き器は以上のように構成したので、オーブントースターで目玉焼きを作るときは、割った卵を目玉焼き器（１）に入れれば黄身が自然と中央のくぼみ（４）に入り、黄身は白身の真中に位置するようになる。トースターや卵焼き器（１）が多少傾いても、黄身はくぼみ（４）の位置に留まるので、白身の真中に位置するように焼きあがり見栄えがよい。
【図面の簡単な説明】
【０００７】
【図１】  本考案の目玉焼き器の斜視図である。
【図２】  本考案の目玉焼き器を下側横方向から見た斜視図である。
【符号の説明】
【０００８】    １  目玉焼き器
２  取っ手
３  穴
４  くぼみ
(57)【要約】〔課題〕空になったペットボトルに水出し茶を作る事が多く、従来市販されている水出しティーパックではペットボトル口に入れにくく細く丸めて入れたりしていたが、やぶれる事が多く扱いにくく不便だった。ティーパックを細長くする事によってペットボトル口から入れやすく、パックにステッチを入れる事により茶葉のかたよりを防ぎ、より入れやすくなる。〔解決手段〕水出しティーパックを細長くステッチを入れる事により茶葉のかたよりを防ぎペットボトル口から入れやすくする。【選択図】図２
0003101089.tif 000002
【実用新案登録請求の範囲】
【請求項１】
ティーパックを細長くステッチを入れる事で茶葉のかたよりを防ぎ、ペットボトル口に入れやすくしたティーパック。
【考案の詳細な説明】
【考案の詳細な説明】
〔考案が解決しょうとする課題〕
【０００１】従来販売されでいる水出しティーパックをペットボトル口から入れようとすると、ティーパックがやぶれたりして扱いにくかった。〔課題を解決するための手段〕
【０００２】ティーパックを細長くステッチを入れ茶葉のかたよりを防ぐ事でペットボトル口からいれやすくする。〔考案の効果〕
【０００３】ティーパックをやぶれる事なくペットボトル口から入れる事ができる。
【図面の簡単な説明】
【図１】従来市販されているティーパックの平面図である。
【図２】考案したペットボトル用水出しティーパックの平面図である。
【符号の説明】
１  従来市販されている水出し用ティーパック２  考案したペットボトル用水出しティーパック３  ステッチ
【図１】
0003101089.tif 000003
【図２】
0003101089.tif 000004
【手続補正書】
【提出日】平成15年11月11日(2003.11.11)
【手続補正１】
【補正対象書類名】実用新案登録請求の範囲
【補正対象項目名】全文
【補正方法】変更
【補正の内容】
【実用新案登録請求の範囲】
【請求項１】
細長い袋の中間部分にステッチをいれる事で茶葉のかたよりを防ぎ、ペットボトル口に入れやすくした、ペットボトル用水出しティーパック。
(57)【要約】      （修正有）【課題】保冷剤のずれを防ぎ、冷たさの調節、頭用・体用の二通りの使い方ができるようにした抱き枕の提供。【解決手段】頭１・体２・手・足５の中を袋状にしずれを防ぎ、さらに頭１・体２の中を仕切り６で仕切ることで冷たさの調節ができるようにする。ゴム７が着いている耳３から足５をはずし枕・抱き枕と二通りの使い方ができるようにした。【選択図】図１
0003101086.tif 000002
【実用新案登録請求の範囲】
【請求項１】
布製ぬいぐるみの頭１・体２・手４・足５を袋状にし保冷剤８を入れられ、頭１と体２に仕切り６をつけて、使用するぬいぐるみ保冷抱き枕。
【請求項２】
ゴム７が着いているぬいぐるみの耳３からぬいぐるみの足５をはずすし、体用に使えるぬいぐるみ保冷抱き枕。
【考案の詳細な説明】
【考案の詳細な説明】
【考案が解決しようとする課題】
【０００１】  従来、保冷枕８はタオルを巻いて使用していたが時間が経つとタオルがずれたり、冷たさの調節が簡単に出来ないという問題点と、子供が熱を出したときに脇や足の付け根を子供が嫌がらずに冷やせるものはないかと考えていた。
【課題を解決するための手段と効果】
【０００２】  上記目的を達成するために、まずぬいぐるみの形にし頭１・体２・手４・足５の中を袋状にすることで保冷剤８をいれる事ができさらにずれを防ぎ、頭１・体２に仕切り６をつけることで冷たさを調節できるようになっている。また、耳３にゴム７をつけ足５を取り外しすることで枕・抱き枕と二通りの使い方ができ、子供が熱を出してもぬいぐるみを抱きながら体・脇・足の付け根を冷やすことができる。
【図面の簡単な説明】
【図１】ぬいぐるみ保冷抱き枕の仕切りに保冷剤を入れられる断面図である。
【図２】ぬいぐるみ保冷抱き枕の背面図である。
【符号の説明】
１  ぬいぐるみの頭
２  ぬいぐるみの体
３  ぬいぐるみの耳
４  ぬいぐるみの手
５  ぬいぐるみの足
６  仕切り
７  ゴム
８  保冷剤
【図１】
0003101086.tif 000003
【図２】
0003101086.tif 000004
【手続補正書】
【提出日】平成15年10月2日(2003.10.2)
【手続補正１】
【補正対象書類名】実用新案登録請求の範囲
【補正対象項目名】全文
【補正方法】変更
【補正の内容】
【実用新案登録請求の範囲】
【請求項１】
布製ぬいぐるみの頭１・体２・手４・足５を袋状にし、頭１と体２に仕切り６をつけて、その仕切られた空間にそれぞれ保冷剤８を入れられるようにしたことを特徴とするぬいぐるみ保冷抱き枕。
【請求項２】
ぬいぐるみの前記耳３にはゴム７が装着されており、足５を前記耳３に取り付け又は取り外し可能としたことを特徴とする請求項１に記載のぬいぐるみ保冷抱き枕。
【手続補正２】
【補正対象書類名】明細書
【補正対象項目名】０００２
【補正方法】変更
【補正の内容】
【０００２】
【課題を解決するための手段、実施の形態及び効果】
上記目的を達成するために、まず、枕をぬいぐるみの形にし頭１・体２・手４・足５の中を袋状とすることで保冷剤８を入れる事ができるようにする。さらに、頭１・体２に仕切り６を付けることで、ずれを防ぐと共に、冷たさを調節できるようになっている。すなわち、図１に示したように保冷剤８は仕切り６で仕切られた空間毎に入れられるので、その空間毎に保冷剤８を入れ或いは入れないようにすることで上記のように冷たさを調節することができる。
また、耳３にゴム７をつけておき、足５をそのゴム７で耳３に取り付けあるいは取り外しすることで枕・抱き枕と二通りの使い方ができ、子供が熱を出してもぬいぐるみを抱きながら体・脇・足の付け根を冷やすことができる。
【手続補正書】
【提出日】平成15年12月5日(2003.12.5)
【手続補正１】
【補正対象書類名】手続補正書
【補正対象項目名】手続補正２
【補正方法】変更
【補正の内容】
【手続補正２】
【補正対象書類名】明細書
【補正対象項目名】全文
【補正方法】変更
【補正の内容】
【考案の詳細な説明】
【考案が解決しようとする課題】
【０００１】    従来、保冷枕８はタオルを巻いて使用していたが時間が経つとタオルがずれたり、冷たさの調節が簡単にできないという問題点と、子供が熱を出したときに脇や足の付け根を子供が嫌がらずに冷やせるものはないかと考えていた。
【課題を解決するための手段、実施の形態及び効果】
【０００２】上記目的を達成するために、まず、枕をぬいぐるみの形にし頭１・体２・手４・足５の中を袋状とすることで保冷剤８を入れる事ができるようにする。さらに、頭１・体２に仕切り６を付けることで、ずれを防ぐと共に、冷たさを調節できるようになっている。すなわち、図１に示したように保冷剤８は仕切り６で仕切られた空間毎に入れられるので、その空間毎に保冷剤８を入れ或いは入れないようにすることで上記のように冷たさを調節することができる。
また、耳３にゴム７をつけ８ておき、足５をそのゴム７で耳３に取り付けあるいは取り外しすることで枕・抱き枕と二通りの使い方ができ、子供が熱を出してもぬいぐるみを抱きながら体・脇・足の付け根を冷やすことができる。
【図面の簡単な説明】
【０００３】
【図１】    ぬいぐるみ保冷抱き枕の断面図である。
【図２】    ぬいぐるみ保冷抱き枕の背面図である。
【符号の説明】
【０００４】    １  ぬいぐるみの頭
２  ぬいぐるみの体
３  ぬいぐるみの耳
４  ぬいぐるみの手
５  ぬいぐるみの足
６  仕切り
７  ゴム
８  保冷剤